(57)【要約】【課題】帯域の無駄な消費を軽減することができる映像受信装置、映像送受信システムを提供することを目的とする。【解決手段】  複数の映像供給源と接続された映像送信装置から複数の映像を受信する映像受信装置であって、映像送信装置へ送信される映像の受信要求を蓄積する蓄積手段と、蓄積された受信要求を参照して受信要求の繰返しパターンを検出する検出手段と、検出手段において検出された受信要求の繰返しパターンを一の受信要求に設定する設定手段と、一の受信要求により受信要求の繰返しパターンを映像送信装置へ送信する要求送信手段と、を備える映像受信装置により上記課題を解決する。【選択図】図６
2010239545.tif 000002
【特許請求の範囲】
【請求項１】
複数の映像供給源と接続された映像送信装置から複数の映像を受信する映像受信装置であって、
前記映像送信装置へ送信される前記映像の受信要求を蓄積する蓄積手段と、
蓄積された前記受信要求を参照して前記受信要求の繰返しパターンを検出する検出手段と、
前記検出手段において検出された前記受信要求の繰返しパターンを一の受信要求に設定する設定手段と、
前記一の受信要求により前記受信要求の繰返しパターンを前記映像送信装置へ送信する要求送信手段と、を備える映像受信装置。
【請求項２】
前記設定手段により設定された前記一の受信要求が前記映像送信装置に受け付けられるように、前記映像送信装置との調整を行うネゴシエーション手段を有する請求項１記載の映像受信装置。
【請求項３】
複数の映像供給源と接続された映像送信装置と、前記映像送信装置から映像を受信する映像受信装置と、を有する映像送受信システムであって、
前記映像受信装置は、
前記映像送信装置へ送信される前記映像の受信要求を蓄積する蓄積手段と、
蓄積された前記受信要求を参照して前記受信要求の繰返しパターンを検出する検出手段と、
前記検出手段において検出された前記受信要求の繰返しパターンを一の受信要求に設定する設定手段と、
前記一の受信要求により前記受信要求の繰返しパターンを前記映像送信装置へ送信する要求送信手段と、を有し、
前記映像送信装置は、
前記一の受信要求に設定された前記繰返しパターンに基づき前記複数の映像供給源の映像を切り替える切替手段と、
前記切替手段による切り替え毎に取得された映像を前記映像受信装置へ送信する映像送信手段と、を有する映像送受信システム。
【請求項４】
前記映像送信装置は、
前記一の受信要求を受けて、前記一の受信要求に設定された前記繰返しパターンを解析し、前記繰返しパターンに基づき前記複数の映像供給源の映像を取得する請求項３記載の映像送受信システム。
【請求項５】
前記映像送信装置は、
前記繰返しパターンに基づき前記複数の映像供給源から取得した複数の映像を前記一の受信要求に対応した複数の映像として前記映像受信装置へ送信する請求項４記載の映像送受信システム。
【発明の詳細な説明】
【技術分野】
【０００１】
本発明は、複数の映像供給源と接続された映像送信装置から映像を受信する映像受信装置、映像送受信システムに関する。
【背景技術】
【０００２】
従来から、コンピュータネットワークにおいて、決められた複数の端末に対して、同時にデータを送信するマルチキャストが知られている。マルチキャストは、例えばネットワークを介して複数の端末へ映像を配信する場合等に用いられる（例えば特許文献１）。
【０００３】
またマルチキャストは、例えば接続された複数の監視カメラの映像を切り替えて映像を送信する映像送信装置に対する映像の受信要求を送信する場合等に用いられる。
【０００４】
以下にマルチキャストを用いた従来の監視カメラシステムについて説明する。従来の監視カメラシステムにおいて、映像送信装置は、例えば２台の監視カメラ１、２と接続されている。映像送信装置は映像受信装置と接続されており、映像受信装置へ監視カメラ１、２から取得した映像を送信する。
【０００５】
従来の監視カメラシステムにおいて、例えば映像受信装置に２台の監視カメラ１、２の映像を順次切り替えて送信させたい場合、以下のような処理が行われる。
【０００６】
映像受信装置から映像送信装置に対して、監視カメラ１の映像の受信要求が送信され、映像送信装置から映像受信装置へ監視カメラ１の映像が送信される。次に映像受信装置から映像送信装置に対して監視カメラ２の映像の受信要求が送信され、映像送信装置から映像受信装置へ監視カメラ２の映像が送信される。
【先行技術文献】
【特許文献】
【０００７】
【特許文献１】特開２００４−２６０２９２号公報
【発明の概要】
【発明が解決しようとする課題】
【０００８】
映像受信装置は、受信する映像を監視カメラ１の映像から監視カメラ２の映像へ切り替えるとき、映像送信装置に対して監視カメラ２の映像の受信要求を送信し、その後に監視カメラ１の映像の受信要求を解除する解除要求を送信する。映像送信装置は、解除要求を受けて監視カメラ１の映像の送信を停止する。
【０００９】
よって映像送信装置は、監視カメラ２の受信要求を受けてから監視カメラ１の映像の解除要求を受けるまでは、監視カメラ１の映像と監視カメラ２の映像との双方を送信することになり、帯域を無駄に消費してしまう。
【００１０】
本発明の一実施形態は、上記の点に鑑みなされたものであり、帯域の無駄な消費を軽減することができる映像受信装置、映像送受信システムを提供することを目的とする。
【課題を解決するための手段】
【００１１】
上記した課題を解決するために、本発明の一実施形態は、複数の映像供給源と接続された映像送信装置から送信される複数の映像を受信する映像受信装置であって、前記映像送信装置へ送信される前記映像の受信要求を蓄積する蓄積手段と、蓄積された前記受信要求を参照して前記受信要求の繰返しパターンを検出する検出手段と、前記検出手段において検出された前記受信要求の繰返しパターンを一の受信要求に設定する設定手段と、を備える映像受信装置である。
【００１２】
なお、本発明の一実施形態の構成要素、表現又は構成要素の任意の組合せを、方法、装置、システム、コンピュータプログラム、記録媒体、データ構造などに適用したものも本発明の態様として有効である。
【発明の効果】
【００１３】
本発明の一実施形態によれば、帯域の無駄な消費を軽減することができる映像受信装置、映像送受信システムを提供できる。
【図面の簡単な説明】
【００１４】
【図１】映像送受信システムのシステム構成図である。
【図２】映像受信装置の一例のハードウェア構成図である。
【図３】映像送信装置の一例のハードウェア構成図である。
【図４】映像受信装置の機能構成の一例を示すブロック図である。
【図５】映像送信装置の機能構成の一例を示すブロック図である。
【図６】映像送受信システムの動作を説明するフローチャートである。
【図７】繰返しの検出を説明するための図である。
【発明を実施するための形態】
【００１５】
次に、本発明を実施するための最良の形態を、以下の実施例に基づき図面を参照しつつ説明していく。
【００１６】
図１は、映像送受信システムのシステム構成図である。映像送受信システム１００は、映像受信装置２００、デコーダ２１０、映像送信装置３００、エンコーダ３１０、３２０、３３０、レイヤ３装置４００を有する。
【００１７】
映像受信装置２００は、レイヤ３装置４００を介して映像送信装置３００と接続されており、レイヤ３装置４００を介して映像送信装置３００に映像の受信要求を送信する。映像受信装置２００は、レイヤ３装置４００を介して映像送信装置３００から送信される映像を受信する。また映像受信装置２００は、デコーダ２１０と接続されており、受信した映像をデコーダ２１０を介して図示しない端末装置等へ送信する。
【００１８】
本実施例のデコーダ２１０には、図示しない端末装置等が接続されている。デコーダ２１０は、端末装置から映像の受信要求を受けると、受信要求を映像受信装置２００へ送信する。またデコーダ２１０は、映像受信装置２００が受信した映像を受信要求に沿って端末装置へ送信する。尚本実施例のデコーダ２１０は、例えばＩＰ画像符号を復号するＩＰ画像復号装置等である。
【００１９】
映像送信装置３００は、エンコーダ３１０、３２０、３３０と接続されており、エンコーダ３１０、３２０、３３０には図示しない映像供給源が接続されている。本実施例の映像供給源とは、例えば監視カメラ等である。映像送信装置３００は、レイヤ３装置４００を介して映像受信装置２００からの受信要求を受信すると、エンコーダ３１０、３２０、３３０を介して取得した映像を映像受信装置２００に送信する。尚本実施例のエンコーダ３１０、３２０、３３０は、例えばＩＰ画像符号を符号化するＩＰ画像符号化装置等である。
【００２０】
レイヤ３装置４００は、映像受信装置２００と映像送信装置３００とに接続されており、映像受信装置２００からの映像の受信要求を受けて映像送信装置３００へ送信する。またレイヤ３装置４００は、映像送信装置３００から送信される映像を受けて映像受信装置２００へ送信する。本実施例のレイヤ３装置は、例えばレイヤ３スイッチやルータ等を含む。
【００２１】
以下に本実施例の映像送受信システム１００の動作の概略を説明する。
【００２２】
本実施例の映像送受信システム１００では、映像受信装置２００から送信される映像の受信要求のパターンに繰返しがある場合には、受信要求のパターンを１つの要求として設定する。
【００２３】
映像受信装置２００は、図１の（１）においてデコーダ２１０を介してエンコーダ３１０からの取得される映像の受信要求（以下、要求１）を受けると、（２）においてレイヤ３装置４００へ要求１を送信する。レイヤ３装置４００は、（３）において要求１を映像送信装置３００へ送信する。映像送信装置３００は、（４）において、要求１にしたがってエンコーダ３１０から取得した映像（以下、映像１）をレイヤ３装置４００へ送信する。レイヤ３装置４００は、（５）において受信した映像１を映像受信装置２００へ送信する。
【００２４】
次に映像受信装置２００は、（６）において、要求１がエンコーダ３２０から取得される映像の受信要求（以下、要求２）に切り替えられると、（７）において要求２をレイヤ３装置４００へ送信する。レイヤ３装置４００は、（８）において要求２を映像送信装置３００へ送信する。映像送信装置３００は、（９）において、要求２にしたがってエンコーダ３２０から取得した映像（以下、映像２）をレイヤ３装置４００へ送信する。レイヤ３装置４００は、（１０）において受信した映像２を映像受信装置２００へ送信する。
【００２５】
映像受信装置２００は、映像２を受信すると、（１１）において映像１の受信要求を解除する解除要求（以下、解除１）をレイヤ３装置４００へ送信する。レイヤ３装置４００は、（１２）において解除１を映像送信装置３００へ送信する。映像送信装置３００は、解除１を受けて映像１の送信を停止する。
【００２６】
次に映像受信装置２００は、（１３）において、要求２がエンコーダ３３０から取得される映像の受信要求（以下、要求３）に切り替えられると、（１４）において要求３をレイヤ３装置４００へ送信する。レイヤ３装置４００は、（１５）において要求３を映像送信装置３００へ送信する。映像送信装置３００は、（１６）において、要求３にしたがってエンコーダ３３０から取得した映像（以下、映像３）をレイヤ３装置４００へ送信する。レイヤ３装置４００は、（１７）において映像３を映像受信装置２００へ送信する。
【００２７】
映像受信装置２００は、映像３を受信すると、（１８）において映像２の受信要求を解除する解除要求（以下、解除２）をレイヤ３装置４００へ送信する。レイヤ３装置４００は、（１９）において解除２を映像送信装置３００へ送信する。映像送信装置３００は、解除２を受けて映像２の送信を停止する。
【００２８】
次に映像受信装置２００が、（２０）において再度エンコーダ３１０から取得される映像の受信要求を受けると、映像受信装置２００は、要求１〜要求３が一定周期で繰り返されていることを検出する。映像受信装置２００は、要求１〜要求３の繰返しパターンを要求４に設定し、（２１）において、要求４をレイヤ３装置４００へ送信する。レイヤ３装置４００は、（２２）において、要求４を映像送信装置３００へ送信する。
【００２９】
映像送信装置３００は、要求４を受けると要求４が示す繰返しのパターンを解析する。映像送信装置３００は、要求４が示す繰返しのパターンである要求１〜要求３に基づき映像１〜映像３を取得し、一定間隔でレイヤ３装置４００へ送信する。このとき映像送信装置３００は、映像１〜映像３の各映像を要求４に対応した映像としてレイヤ３装置４００へ送信する。
【００３０】
また本実施例の映像送信装置３００は、映像１〜３を一定間隔で送信する際に、ＭＰＥＧ（Moving Picture Experts Group）のＩピクチャ送信間隔分は各映像が重なるように送信する。本実施例では、ＭＰＥＧのＩピクチャ送信間隔分映像が重なるように複数の映像を送信することで、映像受信装置２００に接続されたデコーダ２１０において切れ目のない連続した映像を受信することができる。
【００３１】
映像送信装置３００は、（２３）において要求１にしたがって取得した映像１を要求４に対応する映像としてレイヤ３装置４００へ送信する。レイヤ３装置４００は、（２４）において映像１を映像受信装置２００へ送信する。映像受信装置２００は、（２５）において、要求４に対応する映像として受信した映像１を要求１に対応する映像としてデコーダ２１０へ送信する。
【００３２】
次に映像送信装置３００は、（２６）において、要求２にしたがって取得した映像２を要求４に対応した映像としてレイヤ３装置４００へ送信する。レイヤ３装置４００は、（２７）において映像２を映像受信装置２００へ送信する。映像受信装置２００は、（２８）において、要求４に対応する映像として受信した映像２を要求２に対応する映像としてデコーダ２１０へ送信する。
【００３３】
次に映像送信装置３００は、（２９）において、要求３にしたがって取得した映像３を要求４に対応する映像としてレイヤ３装置４００へ送信する。レイヤ３装置４００は、（３０）において映像３を映像受信装置２００へ送信する。映像受信装置２００は、（３１）において、要求４に対応する映像として受信した映像３を要求３に対応する映像としてデコーダ２１０へ送信する。
【００３４】
このように本実施例の映像送受信システム１００では、受信要求が特定のパターンで繰り返される場合、このパターンを１つの受信要求として設定する。よって受信要求が切り替わる毎に受信要求の解除をする必要がなくなり、帯域の無駄な消費を軽減することができる。
【００３５】
以下に本実施例の映像送受信システム１００の有する映像受信装置２００と映像送信装置３００とについて説明する。
【００３６】
図２は、映像受信装置の一例のハードウェア構成図である。映像受信装置２００は、それぞれバスＢで相互に接続されている入力装置２１，出力装置２２，ドライブ装置２３，補助記憶装置２４，メモリ装置２５，演算処理装置２６およびインターフェース装置２７を有する。
【００３７】
入力装置２１はキーボードやマウスなどを有し、各種信号を入力するために用いられる。出力装置２２はディスプレイ装置などを有し、各種ウインドウやデータ等を表示するために用いられる。インターフェース装置２７は、モデム，ＬＡＮカードなどを有し、ネットワークに接続する為に用いられる。
【００３８】
本実施例の映像受信プログラムは、映像受信装置２００を制御する各種プログラムの少なくとも一部である。映像受信プログラムは例えば記録媒体２８の配布やネットワークからのダウンロードなどによって提供される。映像受信プログラムを記録した記録媒体２８は、ＣＤ−ＲＯＭ、フレキシブルディスク、光磁気ディスク等の様に情報を光学的，電気的或いは磁気的に記録する記録媒体、ＲＯＭ、フラッシュメモリ等の様に情報を電気的に記録する半導体メモリ等、様々なタイプの記録媒体を用いることができる。
【００３９】
また、映像受信プログラムを記録した記録媒体２８がドライブ装置２３にセットされると、映像受信プログラムは記録媒体２８からドライブ装置２３を介して補助記憶装置２４にインストールされる。ネットワークからダウンロードされた映像受信プログラムは、インターフェース装置２７を介して補助記憶装置２４にインストールされる。
【００４０】
補助記憶装置２４は、インストールされた映像受信プログラムを格納すると共に、必要なファイル，データ等を格納する。メモリ装置２５は、コンピュータの起動時に補助記憶装置２４から映像受信プログラムを読み出して格納する。そして、演算処理装置２６はメモリ装置２５に格納された映像受信プログラムに従って、後述するような各種処理を実現している。
【００４１】
図３は、映像送信装置の一例のハードウェア構成図である。映像送信装置３００は、それぞれバスＢで相互に接続されている入力装置３１，出力装置３２，ドライブ装置３３，補助記憶装置３４，メモリ装置３５，演算処理装置３６およびインターフェース装置３７を有する。
【００４２】
入力装置３１はキーボードやマウスなどを有し、各種信号を入力するために用いられる。出力装置３２はディスプレイ装置などを有し、各種ウインドウやデータ等を表示するために用いられる。インターフェース装置３７は、モデム，ＬＡＮカードなどを有し、ネットワークに接続する為に用いられる。
【００４３】
本実施例の映像送信プログラムは、映像送信装置３００を制御する各種プログラムの少なくとも一部である。映像送信プログラムは例えば記録媒体３８の配布やネットワークからのダウンロードなどによって提供される。映像送信プログラムを記録した記録媒体３８は、ＣＤ−ＲＯＭ、フレキシブルディスク、光磁気ディスク等の様に情報を光学的，電気的或いは磁気的に記録する記録媒体、ＲＯＭ、フラッシュメモリ等の様に情報を電気的に記録する半導体メモリ等、様々なタイプの記録媒体を用いることができる。
【００４４】
また、映像送信プログラムを記録した記録媒体３８がドライブ装置３３にセットされると、映像送信プログラムは記録媒体３８からドライブ装置３３を介して補助記憶装置３４にインストールされる。ネットワークからダウンロードされた映像送信プログラムは、インターフェース装置３７を介して補助記憶装置３４にインストールされる。
【００４５】
補助記憶装置３４は、インストールされた映像送信プログラムを格納すると共に、必要なファイル，データ等を格納する。メモリ装置３５は、コンピュータの起動時に補助記憶装置３４から映像送信プログラムを読み出して格納する。そして、演算処理装置３６はメモリ装置３５に格納された映像送信プログラムに従って、後述するような各種処理を実現している。
【００４６】
次に、映像受信装置２００および映像送信装置３００の機能について説明する。図４は、映像受信装置の機能構成の一例を示すブロック図である。
【００４７】
本実施例の映像受信装置２００は、インターフェース部２２０、レイヤ２処理部２３０、レイヤ３処理部２４０、受信要求設定部２５０を有する。
【００４８】
インターフェース部２２０は、映像受信装置２００とデコーダ２１０とを接続するために用いられる。また本実施例のインターフェース部２２０は、映像受信装置２００とレイヤ３装置４００とを接続するために用いられる。
【００４９】
レイヤ２処理部２３０は、映像受信装置２００の通信相手であるデコーダ２１０及びレイヤ３装置４００との物理的な通信路を確保し、通信路を流れるデータのエラー検出などを行なう。
【００５０】
レイヤ３処理部２４０は、映像受信装置２００の通信相手までデータを届けるための通信経路の選択や、通信経路内のアドレスの管理等を行なう。本実施例のレイヤ３処理部２４０は、ＩＧＭＰ（Internet Group Management Protocol）処理部２４１、ＰＩＭ（Protocol Independent Multicast）処理部２４２を有する。本実施例のレイヤ３処理部２４０は、ＩＧＭＰ処理部２４１とＰＩＭ処理部２４２とを用いて、レイヤ３装置４００を介した映像送信装置３００との通信を可能とする。
【００５１】
受信要求設定部２５０は、特定の受信要求のパターンの繰返しを検出し、検出した繰返しの受信要求を１つの受信要求として設定する。受信要求設定部２５０は、アドレス蓄積部２５１、繰返し検出部２５２、繰返し設定部２５３、ネゴシエーション部２５４、アドレス付替え部２５５を有する。
【００５２】
アドレス蓄積部２５１は、インターフェース部２２０、レイヤ２処理部２３０、レイヤ３処理部２４０を介してデコーダ２１０から受け付けた受信要求のアドレスを蓄積する。繰返し検出部２５２は、アドレス蓄積部２５１に蓄積された受信要求のアドレスから、特定のパターンの繰返しを検出する。繰返しの検出の詳細は後述する。
【００５３】
繰返し設定部２５３は、繰返し検出部２５２が検出した受信要求のパターンの繰返しを１つの受信要求として設定する。ネゴシエーション部２５４は、繰返し設定部２５３により設定された受信要求のアドレスを映像送信装置３００との間で使用可能とするために映像送信装置３００との間の調整を行う。
【００５４】
アドレス付替え部２５５は、繰返し設定部２５３により設定された受信要求に基づき受信した映像に設定前の受信要求のアドレスを付け替える。
【００５５】
図５は、映像送信装置の機能構成の一例を示すブロック図である。映像送信装置３００は、インターフェース部２２０、レイヤ２処理部２３０、レイヤ３処理部２４０、映像送信部３４０を有する。インターフェース部２２０、レイヤ２処理部２３０、レイヤ３処理部２４０は、映像受信装置２００と同様の機能構成であるから、説明を省略する。
【００５６】
映像送信部３４０は、インターフェース２２０、レイヤ２処理部２３０、レイヤ３処理部２４０を介して映像受信装置２００からの受信要求を受け付け、要求された映像を映像受信装置２００へ送信する。
【００５７】
本実施例の映像送信部３４０は、ネゴシエーション部３４１、要求解析部３４２、切替部３４３、送信部３４４を有する。
【００５８】
ネゴシエーション部３４１は、映像受信装置２００のネゴシエーション部２５４と調整を行い、繰返し設定部２５３により設定された受信要求のアドレスを映像受信装置２００と映像送信装置３００との間で使用可能にする。
【００５９】
要求解析部３４２は、映像受信装置２００から送信された受信要求が示す繰返しのパターンを解析する。
【００６０】
切替部３４３は、受信要求に基づき映像送信装置３００から送信する映像を切り替える。例えば切替部３４３は、受信要求のアドレスがエンコーダ３１０を示すアドレスからエンコーダ３２０を示すアドレスへ切り替わったとき、受信要求に対応して送信する映像をエンコーダ３１０を介して取得した映像からエンコーダ３２０を介して取得した映像へ切り替える。送信部３４４は、取得した映像を映像受信装置２００へ送信する。
【００６１】
以下に図６を参照して、本実施例の映像送受信システム１００の動作について説明する。図６は、映像送受信システムの動作を説明するフローチャートである。
【００６２】
本実施例の映像受信装置２００は、ステップＳ６０１においてデコーダ２１０からパケット（ＩＧＭＰパケット）による映像の受信要求を受けると、アドレス蓄積部２５１によりパケットに含まれる受信要求のアドレス（マルチキャストアドレス）を蓄積する。受信要求のアドレスには、映像送信装置３００と接続されたエンコーダ３１０〜３３０の何れかを指定するアドレスが含まれている。
【００６３】
ステップＳ６０１に続いてステップＳ６０２に進み、映像受信装置２００が、Ｙ秒後に再度パケットによる映像の受信要求を受けると、アドレス蓄積部２５１は、パケットに含まれる受信要求のアドレスを蓄積する。尚Ｙ秒とは任意のタイミングであって良い。
【００６４】
ステップＳ６０２に続いてステップＳ６０３へ進み、繰返し検出部２５２は、アドレス蓄積部２５１に蓄積されたアドレスから受信要求の繰返しのパターンを検出する。ステップＳ６０３において繰返しのパターンが検出されない場合はステップＳ６０２に戻り、受信要求のアドレスの蓄積を行う。ステップＳ６０３において繰返しのパターンを検出した場合、ステップＳ６０４へ進む。
【００６５】
以下に図７を参照して繰返し検出部２５２による繰返しの検出について説明する。図７は、繰返しの検出を説明するための図である。
【００６６】
本実施例においてレイヤ３処理部２４０によりパケットが受信されると、受信要求設定部２５０は、パケットに含まれる受信要求のアドレスをアドレス蓄積部２５１へ蓄積する。尚図７に示す受信要求設定部２５０では、繰返しの検出の説明に必要な部分のみ示している。
【００６７】
繰返し検出部２５２は、アドレス蓄積部２５１に、同じアドレスが特定のパターンで蓄積されている場合に、受信要求の繰返しを検出する。図７の例では、例えばアドレス蓄積部２５１の有するテーブル２５６に受信要求のアドレスを順次蓄積する。テーブル２５６には、１番目からｘ番目まで順に受信要求のアドレスが蓄積され、ｘ番目までアドレスが蓄積されたら、再度１番目からアドレスが蓄積される。図７の例では、テーブル２５６の１番目と２番目に、同じアドレスが蓄積されている。よって繰返し検出部２５２は、テーブル２５６の１番目と２番目に蓄積される受信要求を特定のパターンの繰返しとして検出する。
【００６８】
ステップＳ６０３に続いてステップＳ６０４へ進み、繰返し設定部２５３は、アドレス蓄積部２５１に蓄積されているアドレスのうち使用可能なアドレスを、「複数映像のＹ秒毎のスキャンの繰返し」を要求するアドレスＡとして設定する。そしてネゴシエーション部２５４により、映像送信装置３００のネゴシエーション部３４１と調整を行う。
【００６９】
具体的には、繰返し設定部２５３は、使用可能なアドレスＡに、エンコーダ３１０〜３３０と接続された複数の映像供給源からの映像をＹ秒毎に切り替えて受信するという内容の受信要求を設定する。ネゴシエーション部２５４は、アドレスＡに設定された受信要求を映像送信装置３００へ伝達する。
【００７０】
例えばステップＳ６０３で検出された繰返しのパターンが、エンコーダ３１０から取得される映像をＹ秒間受信し、次にエンコーダ３２０から取得される映像をＹ秒間受信し、再度エンコーダ３１０から取得される映像をＹ秒間受信する、というパターンであったとする。このとき繰返し設定部２５３は、アドレスＡに、エンコーダ３１０からＹ秒間映像受信、エンコーダ３２０からＹ秒間映像受信、エンコーダ３１０からＹ秒間映像受信という３つの受信要求を１つの受信要求として設定する。
【００７１】
ステップＳ６０４に続いてステップＳ６０５へ進み、映像送信装置３００は、映像受信装置２００のネゴシエーション部２５４からアドレスＡの設定を受信すると、ネゴシエーション部３４１によりアドレスＡに対応する受信要求を受信可能とすべく調整する。
【００７２】
ステップＳ６０５に続いてステップＳ６０６へ進み、映像受信装置２００が受信要求のアドレスＡを映像送信装置３００へ送信する。
【００７３】
ステップＳ６０６に続いてステップＳ６０７へ進み、映像送信装置３００は、受信要求Ａを受信する。ステップＳ６０７に続いてステップＳ６０８へ進み、映像送信装置３００は、要求解析部３４２によりアドレスＡに設定された受信要求を解析する。そして映像送信装置３００は、切替部３４３により、解析された受信要求に従って映像を切り替えて取得する。
【００７４】
例えば要求解析部３４２は、アドレスＡに設定された受信要求をエンコーダ３１０からＹ秒間映像受信、エンコーダ３２０からＹ秒間映像受信、エンコーダ３１０からＹ秒間映像受信という３つの受信要求に解析する。そして切替部３４３は、解析された結果に沿って取得する映像の切り替えを行う。すなわち切替部３４３は、まずエンコーダ３１０を介してＹ秒間映像を取得する。次に切替部３４３は、エンコーダ３１０からエンコーダ３２０に切り替えてＹ秒間映像を取得する。次に切替部３４３は、エンコーダ３２０からエンコーダ３１０へ切り替えてＹ秒間映像を取得する。
【００７５】
ステップＳ６０８に続いてステップＳ６０９に進み、映像送信装置３００において送信部３４４は、ステップＳ６０８で取得した複数の映像の送信先アドレスをアドレスＡに変換し、映像を映像受信装置２００へ送信する。
【００７６】
映像送信装置３００は、ステップＳ６０８において、要求解析部３４２により、アドレスＡに設定された３つの受信要求のアドレスを複数の映像のそれぞれの送信先アドレスとして取得している。ステップＳ６０９では、ステップＳ６０８で取得した３つの送信先アドレスを１つのアドレスＡに変換し、アドレスＡを送信先アドレスとして複数の映像を送信する。
【００７７】
ステップＳ６０９に続いてステップＳ６１０へ進み、映像受信装置２００においてアドレス付替え部２５５は、アドレスＡに対応した映像として送信された複数の映像に、アドレスＡに設定される前の受信要求のアドレスを付け替え、デコーダ２１０へ送信する。尚アドレスＡが設定される前の受信要求のアドレスとは、アドレス蓄積部２５１に蓄積されたアドレスであり、繰返し検出部２５２により検出されたアドレスである。
【００７８】
例えばアドレス付替え部２５５は、アドレスＡに対応した映像として受信したデコーダ３１０から取得した映像をテーブル２５６の１番目に蓄積されたアドレスに対応した映像とする。すなわちアドレス付替え部２５５は、デコーダ３１０から取得した映像の送信先アドレスをテーブル２５６の１番目に蓄積されたアドレスに付け替える。
【００７９】
アドレス付替え部２５５によりアドレスを付け替えることで、映像受信装置２００が受信した映像をデコーダ２１０を介して受信要求を送信した端末装置へ送信することができる。
【００８０】
以上のように本実施例では、受信要求が特定のパターンで繰り返される場合、このパターンを１つの受信要求として設定する。よって受信要求が切り替わる毎に受信要求を解除する必要がなく、帯域の無駄な消費を軽減することができる。
【００８１】
本発明は、具体的に開示された実施例に限定されるものではなく、特許請求の範囲から逸脱することなく、種々の変形や変更が可能である。
【符号の説明】
【００８２】
１００  映像送受信システム
２００  映像受信装置
２１０  デコーダ
２２０  インターフェース部
２３０  レイヤ２処理部
２４０  レイヤ３処理部
２５０  受信要求設定部
２５１  アドレス蓄積部
２５２  繰返し検出部
２５３  繰返し設定部
２５４、３４１  ネゴシエーション部
２５５  アドレス付替え部
３００  映像送信装置
３１０、３２０、３３０  エンコーダ
３４０  映像送信部
３４２  要求解析部
３４３  切替部
３４４  送信部
４００  レイヤ３装置
【図１】
2010239545.tif 000003
【図２】
2010239545.tif 000004
【図３】
2010239545.tif 000005
【図４】
2010239545.tif 000006
【図５】
2010239545.tif 000007
【図６】
2010239545.tif 000008
【図７】
2010239545.tif 000009